(57)【要約】【課題】電子データを入力する電子機器と電子データを出力する電子機器とを容易に連携させることができる入出力システム、入出力方法、携帯端末及びプログラムを提供することを課題とする。【解決手段】携帯端末と連携処理装置とが接続され、複数の電子機器を接続可能であり、入力装置となる電子機器から電子データを入力させ、出力装置となる電子機器から出力させる連携処理を実行する入出力システムであって、携帯端末が入力／出力装置とする電子機器から入力／出力装置情報を取得する取得手段と、入力装置情報により特定される電子機器から電子データを入力させる入力制御手段と、電子データを携帯端末から電子機器に直接出力させることが可能であるときに、電子データを出力装置情報により特定される電子機器から該電子機器に応じた出力形式で出力させる出力制御手段とを有することにより上記課題を解決する。【選択図】図１
2014199656.tif 000002
【特許請求の範囲】
【請求項１】
携帯端末と連携処理装置とが接続されたシステムであって、複数の電子機器を接続可能であり、前記複数の電子機器のうち入力装置となる一の電子機器から電子データを入力させ、入力された電子データを前記複数の電子機器のうち出力装置となる一の電子機器から出力させる連携処理を実行する入出力システムであって、
前記携帯端末が、前記複数の電子機器のうち入力装置とする一の電子機器から、該入力装置とする一の電子機器を特定するための入力装置情報を取得し、前記複数の電子機器のうち出力装置とする一の電子機器から、該出力装置とする一の電子機器を特定するための出力装置情報を取得する取得手段と、
前記取得手段により前記携帯端末が取得した前記入力装置情報により特定される電子機器から電子データを入力させる入力制御手段と、
前記入力制御手段により入力させた電子データを、前記携帯端末から前記出力装置情報により特定される電子機器に直接出力させることが可能であるときに、前記入力制御手段により入力させた電子データを、前記取得手段で取得した前記出力装置情報により特定される電子機器から、該電子機器に応じた出力形式で出力させる出力制御手段とを有することを特徴とする入出力システム。
【請求項２】
前記出力制御手段は、前記入力制御手段により入力させた電子データを、前記携帯端末から前記出力装置情報により特定される電子機器に直接出力させることが可能でないときに、前記入力制御手段により入力させた電子データを、前記取得手段で取得した前記出力装置情報により特定される電子機器から、該電子機器に応じた出力形式で出力させるように前記連携処理装置に要求し、前記入力制御手段により入力させた電子データを、前記電子機器に応じた出力形式で、前記出力装置情報により特定される電子機器から出力させることを特徴とする請求項１記載の入出力システム。
【請求項３】
前記出力制御手段は、前記携帯端末から前記出力装置情報により特定される電子機器に直接出力させることが可能か否かを示す直接出力可否情報に基づき、前記携帯端末から前記出力装置情報により特定される電子機器に直接出力させることが可能か不可かを判定することを特徴とする請求項１又は２記載の入出力システム。
【請求項４】
前記取得手段は、前記複数の電子機器のうち出力装置とする一の電子機器から、前記出力装置情報及び前記直接出力可否情報を取得し、
前記出力制御手段は、前記取得手段が取得した前記直接出力可否情報に基づき、前記携帯端末から前記出力装置情報により特定される電子機器に直接出力させることが可能か不可かを判定することを特徴とする請求項３記載の入出力システム。
【請求項５】
前記取得手段は、前記複数の電子機器のうち出力装置とする一の電子機器から、前記出力装置情報及び機器情報を取得し、
前記出力制御手段は、前記取得手段が取得した前記機器情報に基づき、前記携帯端末から前記出力装置情報により特定される電子機器に直接出力させることが可能か不可かを判定することを特徴とする請求項３記載の入出力システム。
【請求項６】
前記取得手段は、前記複数の電子機器のうち入力装置とする一の電子機器から、該入力装置とする一の電子機器を特定するための入力装置情報と、前記連携処理装置を特定するための連携処理装置情報とを取得することを特徴とする請求項１乃至５何れか一項記載の入出力システム。
【請求項７】
前記入力装置となる一の電子機器は原稿を読み取って画像データを生成する画像読取装置であり、前記出力装置となる一の電子機器は画像データを印刷出力する画像形成装置又は画像データを表示出力する画像表示装置であることを特徴とする請求項１乃至６何れか一項記載の入出力システム。
【請求項８】
前記取得手段は前記携帯端末が撮影した画像データから前記入力装置情報及び前記出力装置情報を取得することを特徴とする請求項１乃至７何れか一項記載の入出力システム。
【請求項９】
携帯端末に搭載されるアプリケーションと連携処理装置に搭載されるプログラムとが接続されたシステムであって、複数の電子機器を接続可能であり、前記複数の電子機器のうち入力装置となる一の電子機器から電子データを入力させ、入力された電子データを前記複数の電子機器のうち出力装置となる一の電子機器から出力させる連携処理を実行する入出力システムであって、
前記アプリケーションが、前記複数の電子機器のうち入力装置とする一の電子機器から、該入力装置とする一の電子機器を特定するための入力装置情報を取得し、前記複数の電子機器のうち出力装置とする一の電子機器から、該出力装置とする一の電子機器を特定するための出力装置情報を取得する取得手段と、
前記取得手段により前記携帯端末が取得した前記入力装置情報により特定される電子機器から電子データを入力させる入力制御手段と、
前記入力制御手段により入力させた電子データを、前記携帯端末から前記出力装置情報により特定される電子機器に直接出力させることが可能であるときに、前記入力制御手段により入力させた電子データを、前記取得手段で取得した前記出力装置情報により特定される電子機器から、該電子機器に応じた出力形式で出力させる出力制御手段とを有することを特徴とする入出力システム。
【請求項１０】
携帯端末と連携処理装置とが接続されたシステムであって、複数の電子機器を接続可能であり、前記複数の電子機器のうち入力装置となる一の電子機器から電子データを入力させ、入力された電子データを前記複数の電子機器のうち出力装置となる一の電子機器から出力させる連携処理を実行する入出力システムにおける入出力方法であって、
前記携帯端末が、前記複数の電子機器のうち入力装置とする一の電子機器から、該入力装置とする一の電子機器を特定するための入力装置情報を取得するステップと、
前記携帯端末が取得した前記入力装置情報により特定される電子機器から電子データを入力させるステップと、
前記複数の電子機器のうち出力装置とする一の電子機器から、該出力装置とする一の電子機器を特定するための出力装置情報を取得するステップと、
前記入力させた電子データを、前記携帯端末から前記出力装置情報により特定される電子機器に直接出力させることが可能であるときに、前記入力させた電子データを、前記出力装置情報により特定される電子機器から、該電子機器に応じた出力形式で出力させるステップとを有することを特徴とする入出力方法。
【請求項１１】
携帯端末と連携処理装置とが接続されたシステムであって、複数の電子機器を接続可能であり、前記複数の電子機器のうち入力装置となる一の電子機器から電子データを入力させ、入力された電子データを前記複数の電子機器のうち出力装置となる一の電子機器から出力させる連携処理を実行する入出力システムに含まれる携帯端末であって、
前記複数の電子機器のうち入力装置とする一の電子機器から、該入力装置とする一の電子機器を特定するための入力装置情報を取得し、前記複数の電子機器のうち出力装置とする一の電子機器から、該出力装置とする一の電子機器を特定するための出力装置情報を取得する取得手段と、
前記取得手段により前記携帯端末が取得した前記入力装置情報により特定される電子機器から電子データを入力させる入力制御手段と、
前記入力制御手段により入力させた電子データを、前記携帯端末から前記出力装置情報により特定される電子機器に直接出力させることが可能であるときに、前記入力制御手段により入力させた電子データを、前記取得手段で取得した前記出力装置情報により特定される電子機器から、該電子機器に応じた出力形式で出力させる出力制御手段とを有することを特徴とする携帯端末。
【請求項１２】
携帯端末と連携処理装置とが接続されたシステムであって、複数の電子機器を接続可能であり、前記複数の電子機器のうち入力装置となる一の電子機器から電子データを入力させ、入力された電子データを前記複数の電子機器のうち出力装置となる一の電子機器から出力させる連携処理を実行する入出力システムに含まれる携帯端末を、
前記複数の電子機器のうち入力装置とする一の電子機器から、該入力装置とする一の電子機器を特定するための入力装置情報を取得し、前記複数の電子機器のうち出力装置とする一の電子機器から、該出力装置とする一の電子機器を特定するための出力装置情報を取得する取得手段、
前記取得手段により前記携帯端末が取得した前記入力装置情報により特定される電子機器から電子データを入力させる入力制御手段、
前記入力制御手段により入力させた電子データを、前記携帯端末から前記出力装置情報により特定される電子機器に直接出力させることが可能であるときに、前記入力制御手段により入力させた電子データを、前記取得手段で取得した前記出力装置情報により特定される電子機器から、該電子機器に応じた出力形式で出力させる出力制御手段として機能させるためのプログラム。
【発明の詳細な説明】
【技術分野】
【０００１】
本発明は、入出力システム、入出力方法、携帯端末及びプログラムに関する。
【背景技術】
【０００２】
ファイルサーバに記憶されているデータをプリンタで印刷させようとすると、ファイルサーバとプリンタとの間のデータ変換が規定されていないため、プリンタが処理不可能なデータについては印刷することができない、という課題が知られている。このような課題を解決する制御システムは従来から知られている（例えば特許文献１参照）。
【発明の概要】
【発明が解決しようとする課題】
【０００３】
近年、ユーザは電子データを出力するプリンタ、複合機、プロジェクタなどの様々な電子機器や、携帯電話、スマートフォン、タブレット端末などの様々な情報処理装置を利用するようになっている。これら電子機器や情報処理装置を利用する形態（システム）では様々な電子機器と情報処理装置とが連携することにより利用価値の向上が期待される。
【０００４】
しかしながら、電子機器や情報処理装置を利用する従来のシステムでは、電子データを入力する電子機器と電子データを出力する電子機器とを連携させる仕組みがなかった。
【０００５】
本発明の一実施形態は上記の点に鑑みなされたもので、電子データを入力する電子機器と電子データを出力する電子機器とを容易に連携させることができる入出力システム、入出力方法、携帯端末及びプログラムを提供することを目的とする。
【課題を解決するための手段】
【０００６】
上記目的を達成するため、本願請求項１は、携帯端末と連携処理装置とが接続されたシステムであって、複数の電子機器を接続可能であり、前記複数の電子機器のうち入力装置となる一の電子機器から電子データを入力させ、入力された電子データを前記複数の電子機器のうち出力装置となる一の電子機器から出力させる連携処理を実行する入出力システムであって、前記携帯端末が、前記複数の電子機器のうち入力装置とする一の電子機器から、該入力装置とする一の電子機器を特定するための入力装置情報を取得し、前記複数の電子機器のうち出力装置とする一の電子機器から、該出力装置とする一の電子機器を特定するための出力装置情報を取得する取得手段と、前記取得手段により前記携帯端末が取得した前記入力装置情報により特定される電子機器から電子データを入力させる入力制御手段と、前記入力制御手段により入力させた電子データを、前記携帯端末から前記出力装置情報により特定される電子機器に直接出力させることが可能であるときに、前記入力制御手段により入力させた電子データを、前記取得手段で取得した前記出力装置情報により特定される電子機器から、該電子機器に応じた出力形式で出力させる出力制御手段と、を有することを特徴とする。
【発明の効果】
【０００７】
本発明の一実施形態によれば、電子データを入力する電子機器と電子データを出力する電子機器とを容易に連携させることができる。
【図面の簡単な説明】
【０００８】
【図１】本実施形態に係る入出力システムの一例の構成図である。
【図２】本実施形態に係るコンピュータシステムの一例のハードウェア構成図である。
【図３】本実施形態に係る携帯端末の一例のハードウェア構成図である。
【図４】本実施形態に係る情報蓄積装置の一例の処理ブロック図である。
【図５】本実施形態に係る携帯端末の一例の処理ブロック図である。
【図６】本実施形態に係る入出力システムの処理手順を表した一例のシーケンス図（１／２）である。
【図７】本実施形態に係る入出力システムの処理手順を表した一例のシーケンス図（２／２）である。
【図８】アップロード画面の一例のイメージ図である。
【図９】フォルダ選択画面の一例のイメージ図である。
【図１０】読み取り設定画面の一例のイメージ図である。
【図１１】ＱＲコード読み取り画面の一例のイメージ図である。
【図１２】メイン画面の一例のイメージ図である。
【図１３】プレビューが表示されたメイン画面の一例のイメージ図である。
【図１４】ＱＲコード読み取り画面の一例のイメージ図である。
【図１５】スマートフォン又は情報蓄積装置の何れから投影ファイルを送信するかを判定する処理の一例のフローチャートである。
【発明を実施するための形態】
【０００９】
次に、本発明の実施の形態について、詳細に説明する。
［第１の実施形態］
＜システム構成＞
図１は本実施形態に係る入出力システムの一例の構成図である。図１の入出力システム１は情報蓄積装置１０がＬＡＮ（Local Area Network）などのネットワークＮ１に接続されている。また、入出力システム１は一台以上のスマートフォン１１、一台以上のタブレット端末１２がネットワークＮ１に接続されている。また、入出力システム１は一台以上のＭＦＰ（複合機）１３、一台以上のプロジェクタ１４がネットワークＮ１に接続されている。さらに、入出力システム１はデジタルカメラ１５、マイク１６、スピーカ１７又は他の情報蓄積装置１８が接続されてもよい。
【００１０】
ネットワークＮ１は例えば企業内ネットワークなど、プライベート環境のネットワークを利用できる。スマートフォン１１及びタブレット端末１２はユーザが携帯して操作する携帯端末の一例である。携帯端末はスマートフォン１１、タブレット端末１２の他、携帯電話、ノートＰＣなど、ユーザが携帯して操作できる装置であればよい。
【００１１】
ＭＦＰ１３及びプロジェクタ１４は電子データの入出力（例えば印刷、スキャン、投影など）を行う電子機器の一例である。また、デジタルカメラ１５、マイク１６、スピーカ１７も電子データの入出力を行う電子機器の一例である。電子機器はＭＦＰ１３及びプロジェクタ１４などの他、プリンタ、スキャナ、複写機、画像表示装置など、電子データの入出力を行う装置であればよい。
【００１２】
ＭＦＰ１３は画像形成装置の一例である。ＭＦＰ１３は撮像機能、画像形成機能及び通信機能を備え、プリンタ、ファクシミリ、スキャナ、複写機として利用可能である。ＭＦＰ１３は原稿を読み取って画像データを生成する画像読取装置、画像データを印刷出力する画像形成装置等として機能する。
【００１３】
ＭＦＰ１３はＷｅｂブラウザ機能を持ち、情報蓄積装置１０内にあるＨＴＭＬデータを描画してＵＩを表示する。さらに、ＭＦＰ１３はＵＩ上でＪａｖａｓｃｒｉｐｔ（登録商標）プログラムを動作させることで、ユーザからの印刷、スキャンなどの要求を受け付けることができる。プロジェクタ１４は画像投影装置の一例である。プロジェクタ１４は投影機能及び通信機能を備える。プロジェクタ１４は画像データを表示出力する画像表示装置等として機能する。デジタルカメラ１５は画像撮影装置の一例である。マイク１６及びスピーカ１７は音声入出力装置の一例である。
【００１４】
情報蓄積装置１０は連携処理装置の一例である。情報蓄積装置１０はＭＦＰ１３やプロジェクタ１４で処理できないような高機能処理の実行や、ファイルサーバとしての処理の実行を行う。なお、情報蓄積装置１０はスマートフォン１１やタブレット端末１２などの情報処理装置と連携して、ＭＦＰ１３やプロジェクタ１４等の電子機器による電子データの入出力を行う。なお、情報蓄積装置１０は複数のコンピュータに分散して構成するようにしてもよい。
【００１５】
＜ハードウェア構成＞
情報蓄積装置１０は例えば図２に示すハードウェア構成のコンピュータシステムにより実現される。なお、スマートフォン１１やタブレット端末１２などの情報処理装置も図２に示すハードウェア構成を含む構成である。図２は本実施形態に係るコンピュータシステムの一例のハードウェア構成図である。
【００１６】
図２のコンピュータシステム１００は、入力装置１０１、表示装置１０２、外部Ｉ／Ｆ１０３、ＲＡＭ１０４、ＲＯＭ１０５、ＣＰＵ１０６、通信Ｉ／Ｆ１０７及びＨＤＤ１０８などを備え、それぞれがバスＢで相互に接続されている。入力装置１０１はキーボードやマウスなどを含み、コンピュータシステム１００に各操作信号を入力するために用いられる。
【００１７】
表示装置１０２はディスプレイなどを含み、コンピュータシステム１００による処理結果を表示する。通信Ｉ／Ｆ１０７はコンピュータシステム１００をネットワークＮ１に接続するインターフェースである。これにより、コンピュータシステム１００は通信Ｉ／Ｆ１０７を介して、他の携帯端末、電子機器等とデータ通信を行うことができる。
【００１８】
ＨＤＤ１０８は、プログラムやデータを格納している不揮発性の記憶装置である。格納されるプログラムやデータには、コンピュータシステム１００全体を制御する基本ソフトウェアであるＯＳ（Operating System）、及び、ＯＳ上において各種機能を提供するアプリケーションソフトウェアなどがある。また、ＨＤＤ１０８は、格納しているプログラムやデータを、所定のファイルシステム及び／又はＤＢ（Data Base）により管理している。
【００１９】
外部Ｉ／Ｆ１０３は、外部装置とのインターフェースである。外部装置には、記録媒体１０３ａなどがある。これにより、コンピュータシステム１００は外部Ｉ／Ｆ１０３を介して、記録媒体１０３ａの読み取り及び／又は書き込みを行うことができる。なお、記録媒体１０３ａにはフレキシブルディスク、ＣＤ、ＤＶＤ（Digital Versatile Disk）、ＳＤメモリカード（SD Memory card）、ＵＳＢメモリ（Universal Serial Bus memory）等がある。
【００２０】
ＲＯＭ１０５は、電源を切ってもプログラムやデータを保持することができる不揮発性の半導体メモリ（記憶装置）である。ＲＯＭ１０５には、コンピュータシステム１００の起動時に実行されるＢＩＯＳ（Basic Input/Output System）、ＯＳ設定、及びネットワーク設定などのプログラムやデータが格納されている。ＲＡＭ１０４は、プログラムやデータを一時保持する揮発性の半導体メモリ（記憶装置）である。
【００２１】
ＣＰＵ１０６は、ＲＯＭ１０５やＨＤＤ１０８などの記憶装置からプログラムやデータをＲＡＭ１０４上に読み出し、処理を実行することで、コンピュータシステム１００全体の制御や機能を実現する演算装置である。
【００２２】
本実施形態に係るコンピュータシステム１００は、上記ハードウェア構成により、後述するような各種処理を実現できる。
【００２３】
＜携帯端末＞
図３は本実施形態に係る携帯端末の一例のハードウェア構成図である。図３の携帯端末はＣＰＵ４０１、ＲＯＭ４０２、ＲＡＭ４０３、ＥＥＰＲＯＭ４０４、ＣＭＯＳセンサ４０５、加速度・方位センサ４０６、メディアドライブ４０８を備えている。
【００２４】
ＣＰＵ４０１は携帯端末全体の動作を制御する。ＲＯＭ４０２は基本入出力プログラムを記憶する。ＲＡＭ４０３はＣＰＵ４０１のワークエリアとして使用される。ＥＥＰＲＯＭ４０４はＣＰＵ４０１の制御にしたがってデータの読み出し又は書き込みを行う。ＣＭＯＳセンサ４０５はＣＰＵ４０１の制御に従って被写体を撮像し画像データを得る。加速度・方位センサ４０６は地磁気を検知する電子磁気コンパスやジャイロコンパス、加速度センサ等である。メディアドライブ４０８はフラッシュメモリ等の記録メディア４０７に対するデータの読み出し又は書き込み（記憶）を制御する。そして、メディアドライブ４０８の制御に従って、既に記録されていたデータが読み出され又は新たにデータが書き込まれて記憶する記録メディア４０７が着脱自在な構成となっている。
【００２５】
なお、ＥＥＰＲＯＭ４０４には、ＣＰＵ４０１が実行するＯＳ、ネットワーク設定に必要なアソシエーション情報等が記憶されている。本発明の実施形態における連携処理サービスを実行するためのアプリケーション（以下、「連携処理アプリ」という。）は、ＥＥＰＲＯＭ４０４又は記録メディア４０７に記憶されている。
【００２６】
また、ＣＭＯＳセンサ４０５は光を電荷に変換して被写体の画像を電子化する電荷結合素子であり、被写体を撮像することができれば、ＣＭＯＳセンサに限らず、ＣＣＤ（Charge  Coupled  Device）センサであってもよい。
【００２７】
さらに、携帯端末は音声入力部４０９、音声出力部４１０、アンテナ４１１、通信部４１２、無線ＬＡＮ通信部４１３、近距離無線通信用アンテナ４１４、近距離無線通信部４１５、ディスプレイ４１６、タッチパネル４１７及びバスライン４１９を備えている。
【００２８】
音声入力部４０９は音声を音声信号に変換する。音声出力部４１０は音声信号を音声に変換する。通信部４１２はアンテナ４１１を利用して無線通信信号により最寄りの基地局装置と通信を行う。無線ＬＡＮ通信部４１３はアクセスポイントとＩＥＥＥ８０４１１規格に準拠する無線ＬＡＮ通信を行う。近距離無線通信部４１５は近距離無線通信用アンテナ４１４を利用した近距離無線通信（Ｂｌｕｅｔｏｏｔｈ（登録商標）通信）を行う。
【００２９】
ディスプレイ４１６は、被写体の画像や各種アイコン等を表示する液晶や有機ＥＬ等である。タッチパネル４１７は、ディスプレイ４１６上に載せられ、感圧式又は静電式のパネルによって構成され、指やタッチペン等によるタッチによってディスプレイ４１６上におけるタッチ位置を検出する。バスライン４１９は上記各部を電気的に接続するためのアドレスバスやデータバス等である。
【００３０】
また、携帯端末は、専用の電池４１８を備えている。携帯端末は電池４１８によって駆動される。なお、音声入力部４０９は、音声を入力するマイクが含まれる。音声出力部４１０は、音声を出力するスピーカが含まれている。
【００３１】
このように、本実施形態に係る携帯端末では、上記ハードウェア構成により、後述するような各種処理を実現できる。
【００３２】
＜ソフトウェア構成＞
《情報蓄積装置１０》
本実施形態に係る情報蓄積装置１０は、例えば図４に示すような処理ブロックで実現される。図４は本実施形態に係る情報蓄積装置の一例の処理ブロック図である。情報蓄積装置１０はプログラムを実行することで、ＯＳ２１、Ｗｅｂサーバ２２、ＰＣブラウザ用ＵＩ２４、ＭＦＰ用ＵＩ２５、ＷｅｂＡｐｉ２６、共有フォルダ２７、ドキュメント管理部２８、Ｗｅｂ制御部２９を実現している。
【００３３】
ＯＳ２１は情報蓄積装置１０のオペレーティングシステムであり、システム全体を制御する。ＯＳ２１は、例えばＷｉｎｄｏｗｓ（登録商標）やＬｉｎｕｘ（登録商標）などである。
【００３４】
Ｗｅｂサーバ２２はＨＴＴＰ（Hyper Text Transfer Protocol）で情報を送受信するソフトウェアである。Ｗｅｂサーバ２２は、Ａｐａｃｈｅ  Ｔｏｍｃａｔ（登録商標）やＩＩＳ（登録商標）などである。
【００３５】
ＰＣブラウザ用ＵＩ２４はＨＴＴＰリクエストによりシステム設定画面を携帯端末に表示する。ユーザはＷｅｂブラウザ（図示せず）を使用して、システム設定画面から設定の変更を行うことができる。
【００３６】
ＭＦＰ用ＵＩ２５はＨＴＴＰリクエストによりコード情報の一例であるＱＲコード（登録商標）の画面をＭＦＰ１３などの電子機器に表示する。ＱＲコードはマトリックス型二次元コードである。また、ＭＦＰ用ＵＩ２５はＨＴＴＰリクエストにより印刷画面の表示やスキャン画面の表示などを行う。ユーザはＭＦＰ１３のＷｅｂブラウザ機能を利用して印刷やスキャンの操作を行うことができる。
【００３７】
ＷｅｂＡｐｉ（Application Programming Interface）２６はネットワークＮ１経由で利用可能である。ＷｅｂＡｐｉ２６はＨＴＴＰリクエストを受け付け、ＨＴＴＰリクエストに応じた処理を行い、ＨＴＴＰレスポンスを行う。ＷｅｂＡｐｉ２６はＱＲコードの生成も行う。
【００３８】
ＷｅｂＡｐｉ２６は、スマートフォン１１やタブレット端末１２などの携帯端末からのリクエストを受信するために設けられた予め定義されたインターフェースであり、例えば関数やクラス等により構成される。
【００３９】
また、情報蓄積装置１０のＷｅｂＡｐｉ２６をＳＤＫ（ソフトウェア開発キット）として携帯端末に搭載されるアプリケーションの開発者に提供できる。アプリケーションの開発者はＳＤＫを使用してアプリケーションを開発できる。ＳＤＫは情報蓄積装置１０の提供者以外のサードベンダにも提供できる。サードベンダは提供されたＳＤＫを使用してアプリケーションを開発できる。ＳＤＫを使用して開発されたアプリケーションは携帯端末に搭載できる。
【００４０】
情報蓄積装置１０のＷｅｂＡｐｉ２６をＳＤＫとして提供することにより、携帯端末は情報蓄積装置１０の提供者が開発したアプリケーションだけでなく、サードベンダが開発したアプリケーションも搭載できるようになる。
【００４１】
共有フォルダ２７はＳＭＢ（Server Message Block）プロトコルによりネットワークＮ１上で公開されたフォルダである。ユーザはスマートフォン１１やタブレット端末１２などの携帯端末を用いて、共有フォルダ２７にアクセスできる。
【００４２】
ドキュメント管理部２８は共有フォルダ２７に置かれたファイルを管理し、Ｗｅｂ制御部２９からの要求に応じてデータ変換する処理を行う。なお、本実施形態におけるファイルは電子データの一形態である。Ｗｅｂ制御部２９は、ＷｅｂＡｐｉ２６からの要求に応じてドキュメント管理部２８を制御する処理を行う。
【００４３】
なお、情報蓄積装置１０は大きく分けて２つのプロセスが動作している。１つのプロセスはＷｅｂサーバ２２、ＰＣブラウザ用ＵＩ２４、ＭＦＰ用ＵＩ２５、ＷｅｂＡｐｉ２６を有している。もう１つのプロセスは、共有フォルダ２７、ドキュメント管理部２８、Ｗｅｂ制御部２９を有している。したがって、ＷｅｂＡｐｉ２６とＷｅｂ制御部２９とはプロセス間通信を行う。
【００４４】
《携帯端末》
本実施形態に係る携帯端末は例えば図５に示すような処理ブロックで実現される。図５は本実施形態に係る携帯端末の一例の処理ブロック図である。携帯端末はプログラムを実行することでＯＳ３１、情報蓄積装置通信部３２、印刷管理部３３、プロジェクタ管理部３４、ファイル一覧表示部３５、設定情報表示部３６、アップロード画面表示部３７、ＱＲコード読取部３８、プレビュー表示部３９を実現している。
【００４５】
ＯＳ３１は、携帯端末のオペレーティングシステムである。ＯＳ３１はシステム全体を制御する、例えばｉＯＳ（登録商標）やＡｎｄｒｏｉｄ（登録商標）などである。
【００４６】
情報蓄積装置通信部３２は、情報蓄積装置１０のＷｅｂＡｐｉ２６とＨＴＴＰで情報を送受信する。また、情報蓄積装置通信部３２は情報蓄積装置１０の共有フォルダ２７にＳＭＢでアクセスする。
【００４７】
例えばファイル一覧表示部３５、設定情報表示部３６及びアップロード画面表示部３７は情報蓄積装置通信部３２を利用して、情報蓄積装置１０から電子データや情報を取得したり、情報蓄積装置１０に処理を要求したりする。
【００４８】
ファイル一覧表示部３５は情報蓄積装置１０内にあるファイルの一覧を表示し、ユーザからのファイルの選択を受け付ける。設定情報表示部３６は情報蓄積装置１０との接続設定を行ったり、携帯端末の設定情報を表示したりする。アップロード画面表示部３７は情報蓄積装置１０にファイルをアップロードするメニューを表示し、情報蓄積装置１０へのアップロードを行う。
【００４９】
情報蓄積装置１０へのアップロード方法として、例えばＭＦＰ１３上のＱＲコードを読み取り、そのＭＦＰ１３にスキャンをさせて情報蓄積装置１０へアップロードする方法がある。また、情報蓄積装置１０へのアップロード方法として、例えば携帯端末のデータを情報蓄積装置１０へアップロードする方法がある。さらに、情報蓄積装置１０へのアップロード方法として、例えば携帯端末のカメラ機能により撮ったデータを情報蓄積装置１０へアップロードする方法がある。
【００５０】
プレビュー表示部３９はファイル一覧表示部３５により表示されたファイルの一覧からユーザがファイルを選択すると、選択されたファイルのプレビュー表示を行う。また、プレビュー表示部３９は投影や印刷のメニューを表示する。プロジェクタ管理部３４はプロジェクタ１４の検索・登録や、選択したファイルをプロジェクタ１４に投影させる処理を行う。印刷管理部３３はＭＦＰ１３の検索・登録や、選択したファイルをＭＦＰ１３に印刷させる処理を行う。
【００５１】
ＱＲコード読取部３８は携帯端末でＱＲコードを読み取るときに、プレビュー表示部３９、設定情報表示部３６、アップロード画面表示部３７から利用される。ＱＲコード読取部３８で読み取るＱＲコードには、携帯端末を情報蓄積装置１０へ接続するための登録用ＱＲコード、印刷やスキャンを行わせるＭＦＰ１３を特定するためのＱＲコード、投影を行わせるプロジェクタ１４を特定するためのＱＲコードなどがある。
【００５２】
＜処理の詳細＞
以下では、本実施形態に係る入出力システム１の処理の詳細について説明する。
【００５３】
《スキャンｔｏ投影》
ここではＭＦＰ１３にスキャンを実行させ、スキャンをしたデータをプロジェクタ１４に投影させる場合の処理について説明する。図６、図７は本実施形態に係る入出力システムの処理手順を表した一例のシーケンス図である。
【００５４】
ステップＳ１において、ユーザはスマートフォン１１を操作し、アップロード画面の表示を要求する。図８はアップロード画面の一例のイメージ図である。アップロード画面のアップロード先設定ボタン１００１が押下されると、スマートフォン１１はステップＳ２において、情報蓄積装置１０にアップロードできるフォルダの一覧を要求し、フォルダ一覧を取得する。スマートフォン１１は、例えば図９に示すようなフォルダ選択画面を表示する。図９はフォルダ選択画面の一例のイメージ図である。
【００５５】
ステップＳ３において、ユーザはスマートフォン１１を操作し、図９のフォルダ選択画面のフォルダ一覧からアップロード先のフォルダを選択する。なお、ユーザは例えば図８のアップロード画面の「読み取り設定」ボタン１００２を押下することで図１０に示すような読み取り設定画面をスマートフォン１１に表示させることができる。
【００５６】
図１０は読み取り設定画面の一例のイメージ図である。ユーザはスマートフォン１１を操作し、図１０の読み取り設定画面にスキャン条件を設定する。図１０の読み取り設定画面ではスキャン条件の一例として原稿種類、解像度、原稿面、原稿セット方向、白紙除去、原稿セット方向、ファイル形式、両面原稿最終ページなどが設定できる。
【００５７】
ステップＳ４において、ユーザはＭＦＰ１３を操作して、ＱＲコード画面の表示を要求する。ユーザからＱＲコード画面表示要求があると、ＭＦＰ１３はステップＳ５において情報蓄積装置１０にＱＲコード画面を要求し、ＱＲコード画面を取得する。また、ＭＦＰ１３はステップＳ６において、情報蓄積装置１０にＱＲコードを要求し、ＱＲコードを取得する。ＭＦＰ１３はＱＲコードを含むＱＲコード画面を表示する。
【００５８】
ＱＲコード画面に表示されるＱＲコードには、ＱＲコードを生成した情報蓄積装置１０のＩＰアドレスと、ＱＲコードを表示しているＭＦＰ１３のＩＰアドレスと、が含まれている。
【００５９】
ＭＦＰ１３はＱＲコードを含むＱＲコード画面を表示している間、ＱＲコードを使用したスキャン要求があるかを情報蓄積装置１０へポーリングして問い合わせる。スキャン要求を情報蓄積装置１０に問い合わせる処理はバックグラウンド処理である。ステップＳ７において、ＭＦＰ１３はスキャン要求を情報蓄積装置１０に問い合わせたが、情報蓄積装置１０からスキャン要求無しが返されている。
【００６０】
なお、図６のシーケンス図に示しているステップＳ１〜Ｓ３のアップロード先のフォルダを選択する処理、スキャン条件を設定する処理、ステップＳ４〜Ｓ６のＱＲコード画面を表示する処理の順序は一例であり、順序を変更してもよい。
【００６１】
ステップＳ８において、ユーザはスマートフォン１１を操作し、図８のアップロード画面の「ＱＲコードでＭＦＰを指定」ボタン１００３を押下することでＱＲコードを用いたスキャンを選択する。
【００６２】
「ＱＲコードでＭＦＰを指定」ボタン１００３が押下されると、スマートフォン１１は図１１に示すようなＱＲコード読み取り画面を表示する。図１１はＱＲコード読み取り画面の一例のイメージ図である。ＱＲコード読み取り画面には、ＱＲコード表示領域１１０１が含まれる。ＱＲコード表示領域１１０１はカメラ機能により撮影された画像が表示される領域である。
【００６３】
ステップＳ９において、ユーザは、ＭＦＰ１３が表示しているＱＲコード画面上のＱＲコードをスマートフォン１１のカメラ機能により撮影する。ユーザはスマートフォン１１のカメラ機能により撮影されたＱＲコードが、ＱＲコード読み取り画面のＱＲコード表示領域１１０１に表示されるように、ＱＲコード画面上のＱＲコードと、スマートフォン１１との位置関係を調整する。
【００６４】
スマートフォン１１はＱＲコード画面上のＱＲコードを読み取る。なお、読み取ったＱＲコードには前述したように、スキャンデータの送信先となる情報蓄積装置１０のＩＰアドレス及びスキャンデータの送信元となるＭＦＰ１３のＩＰアドレスが含まれている。
【００６５】
ステップＳ１０において、スマートフォン１１はスキャンデータの送信先となる情報蓄積装置１０のＩＰアドレスを利用し、アップロード先のフォルダパス、スキャン条件を含むスキャン要求を、情報蓄積装置１０に対して行う。
【００６６】
ステップＳ１１において、ＭＦＰ１３はステップＳ７と同様、ＱＲコードを使用したスキャン要求があるかを情報蓄積装置１０へポーリングして問い合わせる。ＭＦＰ１３はスキャン要求を情報蓄積装置１０に問い合わせ、情報蓄積装置１０からスキャン要求有りがアップロード先のフォルダパス、スキャン条件と共に返される。ＭＦＰ１３はステップＳ１２において、スキャン条件に従ってスキャンを実行する。
【００６７】
ステップＳ１３において、ＭＦＰ１３はスキャンデータ（画像データ）を１ページ毎に情報蓄積装置１０のアップロード先のフォルダパスに送信し、アップロード先のフォルダにスキャンデータを保存する。ステップＳ１３はスキャンされる原稿のページ数分、繰り返される。スキャンデータは、カラーか白黒かによって、ＪＰＥＧ形式かＴＩＦＦ形式の何れかになる。
【００６８】
原稿の全てのページのスキャンが終了すると、ステップＳ１４において、ＭＦＰ１３は情報蓄積装置１０にスキャンデータ変換要求を行う。スキャンデータ変換要求にはアップロード先のフォルダパス、スキャン条件が含まれる。
【００６９】
ステップＳ１５において、情報蓄積装置１０はＭＦＰ１３から送られていたページ毎のスキャンデータを一つにまとめ、ＰＤＦ形式のスキャンファイルに変換する。ステップＳ１５において変換されるデータ形式はＰＤＦ形式に限定されるものではない。ステップＳ１５において変換されるデータ形式はスキャンデータを一つにまとめるデータ形式や、スマートフォン１１で表示可能なデータ形式（表示形式）等である。
【００７０】
ステップＳ１６において、情報蓄積装置１０はスキャン要求受付完了をＭＦＰ１３に通知する。スキャン要求受付完了を通知されると、ＭＦＰ１３はステップＳ１７においてスキャンが完了した旨を通知するスキャン完了画面を表示する。
【００７１】
ステップＳ１８において、ユーザはスマートフォン１１を操作し、スキャンファイルを選択するために例えば図１２に示すようなメイン画面の表示を要求する。図１２はメイン画面の一例のイメージ図である。
【００７２】
ユーザからメイン画面の表示を要求されると、スマートフォン１１はステップＳ１９において情報蓄積装置１０にファイルの一覧を要求し、ファイル一覧を取得する。スマートフォン１１は、ファイル一覧１２０１を含む例えば図１２に示すようなメイン画面を表示する。
【００７３】
ステップＳ２０において、ユーザはスマートフォン１１を操作し、図１２のファイル一覧１２０１からファイル（ここではスキャンファイル）を選択する。ステップＳ２１において、スマートフォン１１はユーザに選択されたファイルの取得を情報蓄積装置１０に要求し、スキャンファイルを取得する。
【００７４】
スマートフォン１１は例えば図１３に示すように、ダウンロードしたスキャンファイルのプレビューを表示する。図１３はプレビューが表示されたメイン画面の一例のイメージ図である。
【００７５】
ステップＳ２２において、ユーザはスマートフォン１１を操作し、図１３のメイン画面の「ＱＲコードでプロジェクタを選択」ボタン１２１１を押下することでプロジェクタ投影を選択する。「ＱＲコードでプロジェクタを選択」ボタン１２１１が押下されると、スマートフォン１１は図１４に示すようなＱＲコード読み取り画面を表示する。
【００７６】
図１４はＱＲコード読み取り画面の一例のイメージ図である。ＱＲコード読み取り画面には、ＱＲコード表示領域１３０１が含まれる。ＱＲコード表示領域１３０１はカメラ機能により撮影された画像が表示される領域である。
【００７７】
ステップＳ２３において、ユーザはプロジェクタ１４のＱＲコードをスマートフォン１１のカメラ機能により撮影する。例えばプロジェクタ１４のＱＲコードはプロジェクタ１４の筐体などに貼り付けておけばよい。なお、プロジェクタ１４はＱＲコードを含む画面を投影スクリーンなどに投影してもよいし、表示パネル等があれば、その表示パネルに表示してもよい。
【００７８】
ユーザはスマートフォン１１のカメラ機能により撮影されたＱＲコードがＱＲコード読み取り画面のＱＲコード表示領域１３０１に表示されるように、プロジェクタ１４のＱＲコードと、スマートフォン１１との位置関係を調整する。
【００７９】
スマートフォン１１はプロジェクタ１４のＱＲコードを読み取る。なお、読み取ったＱＲコードには前述したように、スキャンファイルを投影するプロジェクタ１４のＩＰアドレス、機器情報及び直接投影可否情報が含まれている。機器情報には、プロジェクタ１４が利用可能なＨＴＴＰ、ＳＭＢなどの通信方式、プロジェクタ１４で利用可能なＪＰＲＧやＰＤＦなどのデータ形式が含まれる。直接投影可否情報は、スマートフォン１１から直接投影（直接出力）することが可能か否かを示す情報である。
【００８０】
ステップＳ２４において、スマートフォン１１は直接投影可否情報に基づき、自身でプロジェクタ１４に対してファイルを送信し、投影させる直接投影が可能であるか否かを判定する。
【００８１】
直接投影可能と判定すると、ステップＳ２５において、スマートフォン１１はステップＳ２１で取得したＰＤＦ形式のスキャンファイルを、プロジェクタ投影用のデータ形式のファイルに変換する。ステップＳ２５において変換されるデータ形式はプロジェクタ１４の機器情報に含まれるプロジェクタ１４で利用可能なデータ形式となる。
【００８２】
ステップＳ２６において、スマートフォン１１はプロジェクタ１４にプロジェクタ投影用のデータ形式のファイル（投影ファイル）を送信する。ステップＳ２７において、プロジェクタ１４は受信した投影ファイルの投影を実行する。
【００８３】
一方、直接投影不可と判定すると、ステップＳ２８において、スマートフォン１１はプロジェクタ１４のＩＰアドレスと、機器情報とを指定し、スキャンファイルの投影要求を情報蓄積装置１０に対して行う。ステップＳ２９において、情報蓄積装置１０はＰＤＦ形式のスキャンファイルを、プロジェクタ１４の機器情報に含まれるプロジェクタ１４で利用可能なデータ形式の投影ファイルに変換する。
【００８４】
ステップＳ３０において、情報蓄積装置１０はプロジェクタ１４のＩＰアドレスを使用してプロジェクタ１４に投影開始の要求を行う。ステップＳ３１において、プロジェクタ１４は情報蓄積装置１０にファイル取得要求を行い、投影ファイルを受信する。ステップＳ３２において、プロジェクタ１４は受信した投影ファイルの投影を実行する。
【００８５】
したがって、図６及び図７のシーケンス図に示す処理によれば、データをスキャンするＭＦＰ１３とデータを投影するプロジェクタ１４とを容易に連携させることができる。なお、図６のシーケンス図ではステップＳ８において、ユーザが明示的にスキャンによるデータ入力を選択しているが、ＭＦＰ１３のＱＲコードに含まれる機能情報から判定するようにしてもよい。
【００８６】
また、図７のシーケンス図ではステップＳ２２において、ユーザが明示的に投影によるデータ出力を選択しているが、プロジェクタ１４のＱＲコードに含まれる機能情報から判定してもよい。
【００８７】
さらに、図６のシーケンス図ではステップＳ９の後、ステップＳ８でユーザが明示的に選択した機能が、ＭＦＰ１３のＱＲコードに含まれる機能情報が示す機能に含まれるか否かによりエラー判定を行ってもよい。例えばステップＳ８でユーザが明示的に選択した機能が、ＭＦＰ１３のＱＲコードに含まれる機能情報が示す機能に含まれていない場合はエラーと判定する。
【００８８】
ステップＳ２３の後、ステップＳ２２でユーザが明示的に選択した機能が、プロジェクタ１４のＱＲコードに含まれる機能情報が示す機能に含まれるか否かによりエラー判定を行ってもよい。例えばステップＳ２２でユーザが明示的に選択した機能が、プロジェクタ１４のＱＲコードに含まれる機能情報が示す機能に含まれていない場合は、エラーと判定する。
【００８９】
なお、図６及び図７のシーケンス図はＭＦＰ１３が、スキャン要求があるかを情報蓄積装置１０へポーリングして問い合わせるのではなく、スマートフォン１１がＭＦＰ１３にスキャン要求を行うようにしてもよい。
【００９０】
ここでは更に、スマートフォン１１が行うステップＳ２３、Ｓ２４の処理の詳細について説明する。図１５はスマートフォン又は情報蓄積装置の何れから投影ファイルを送信するかを判定する処理の一例のフローチャートである。
【００９１】
ステップＳ１０１において、スマートフォン１１はプロジェクタ１４のＱＲコードをカメラ機能により撮影し、読み取る。ステップＳ１０２において、スマートフォン１１は読み取ったＱＲコード内に含まれるデータを解析する。
【００９２】
ステップＳ１０３において、スマートフォン１１は、ステップＳ１０２の解析によりスキャンファイルを投影するプロジェクタ１４のＩＰアドレス、機器情報及び直接投影可否情報を取得する。
【００９３】
ステップＳ１０４において、スマートフォン１１はステップＳ１０３で取得した直接投影可否情報に基づき、直接投影可能なプロジェクタ１４であるか否かを判定する。直接投影可能であれば、スマートフォン１１はステップＳ１０５において、スマートフォン１１からプロジェクタ１４に直接投影させる。ステップＳ１０５の処理は図７のステップＳ２５〜Ｓ２７の処理に相当する。
【００９４】
直接投影不可であれば、スマートフォン１１はステップＳ１０６において、情報蓄積装置１０を経由してプロジェクタ１４に投影させる。ステップＳ１０６の処理は、図７のステップＳ２８〜Ｓ３２の処理に相当する。
【００９５】
本実施形態では直接投影可否情報をＱＲコード内の情報に含めることで、直接投影可能なときの投影方法又は直接投影不可なときの投影方法のどちらでプロジェクタ１４に投影させるかを判定している。なお、機器情報の組み合わせにより、スマートフォン１１から直接投影する投影方法か、情報蓄積装置１０を経由して投影する投影方法かを判定してもよい。
【００９６】
例えば入力機器の機器情報がスキャンであり、出力機器の機器情報がプロジェクタ１４であればスマートフォン１１から直接投影し、入力機器の機器情報がスキャンであり、出力機器の機器情報がＭＦＰ１３であれば情報蓄積装置１０を経由して投影する投影方法かを判定する。前述の実施形態では、ＱＲコード内に直接投影可否情報を含めることで、スマートフォン１１が通信可能かを判断したが、これに限らず、例えばＱＲコード内にはＩＰアドレスと機器情報を含めておき、ＱＲコードから取得したＩＰアドレスを用いてスマートフォン１１が対象とする機器にアクセスできたかに応じて通信可能かを判断しても良い。また、投影方法の判定は本実施形態のようにスマートフォン１１で行ってもよいし、情報蓄積装置１０に機器情報を送信し、情報蓄積装置１０で行うようにしてもよい。
【００９７】
＜まとめ＞
以上、本実施形態に係る入出力システム１によれば、ユーザはスマートフォン１１やタブレット端末１２などの携帯端末を、ＭＦＰ１３やプロジェクタ１４などの電子機器にかざして、ＱＲコードなどの電子機器を特定する情報を取得できる。ユーザは複数の電子機器から電子データを入力する電子機器及び電子データを出力する電子機器を容易に指定できる。
【００９８】
したがって、本実施形態に係る入出力システム１によれば、ユーザは複数の電子機器から電子データを入力する電子機器、電子データを出力する電子機器、及び、情報蓄積装置１０などの連携処理装置を容易に連携させ、様々なサービスを提供できる。
【００９９】
また、本実施形態に係る入出力システム１によれば、スマートフォン１１から直接投影可能なプロジェクタ１４であればスマートフォン１１から直接投影を行い、直接投影不可なプロジェクタ１４であれば情報蓄積装置１０を経由して投影を行うことができる。
【０１００】
本発明は、具体的に開示された上記の実施形態に限定されるものではなく、特許請求の範囲から逸脱することなく、種々の変形や変更が可能である。なお、特許請求の範囲に記載した入力装置情報、出力装置情報、連携処理装置情報はＱＲコードに含まれるＩＰアドレスに相当する。
【符号の説明】
【０１０１】
１    入出力システム
１０    情報蓄積装置
１１    スマートフォン
１２    タブレット端末
１３    ＭＦＰ（Ｍｕｌｔｉ  Ｆｕｎｃｔｉｏｎ  Ｐｅｒｉｐｈｅｒａｌ：複合機）
１４    プロジェクタ
１５    デジタルカメラ
１６    マイク
１７    スピーカ
１８    他の情報蓄積装置
２１、３１    ＯＳ
２２    Ｗｅｂサーバ
２４    ＰＣブラウザ用ＵＩ
２５    ＭＦＰ用ＵＩ
２６    ＷｅｂＡｐｉ
２７    共有フォルダ
２８    ドキュメント管理部
２９    Ｗｅｂ制御部
３２    情報蓄積装置通信部
３３    印刷管理部
３４    プロジェクタ管理部
３５    ファイル一覧表示部
３６    設定情報表示部
３７    アップロード画面表示部
３８    ＱＲコード読取部
３９    プレビュー表示部
１００    コンピュータシステム
１０１    入力装置
１０２    表示装置
１０３    外部Ｉ／Ｆ
１０３ａ    記録媒体
１０４    ＲＡＭ
１０５    ＲＯＭ
１０６    ＣＰＵ
１０７    通信Ｉ／Ｆ
１０８    ＨＤＤ
４０１    ＣＰＵ
４０２    ＲＯＭ
４０３    ＲＡＭ
４０４    ＥＥＰＲＯＭ
４０５    ＣＭＯＳセンサ
４０６    加速度・方位センサ
４０７    記録メディア
４０８    メディアドライブ
４０９    音声入力部
４１０    音声出力部
４１１    アンテナ
４１２    通信部
４１３    無線ＬＡＮ通信部
４１４    近距離無線通信用アンテナ
４１５    近距離無線通信部
４１６    ディスプレイ
４１７    タッチパネル
４１８    電池
４１９    バスライン
Ｂ    バス
Ｎ１    ネットワーク
【先行技術文献】
【特許文献】
【０１０２】
【特許文献１】特開２００５−２９２９０３号公報
【図１】
2014199656.tif 000003
【図２】
2014199656.tif 000004
【図３】
2014199656.tif 000005
【図４】
2014199656.tif 000006
【図５】
2014199656.tif 000007
【図６】
2014199656.tif 000008
【図７】
2014199656.tif 000009
【図８】
2014199656.tif 000010
【図９】
2014199656.tif 000011
【図１０】
2014199656.tif 000012
【図１１】
2014199656.tif 000013
【図１２】
2014199656.tif 000014
【図１３】
2014199656.tif 000015
【図１４】
2014199656.tif 000016
【図１５】
2014199656.tif 000017